(57)【特許請求の範囲】
【請求項１】
現場に備えられた設備機器と、保守員の携帯端末機とが前記現場に設けた通信装置を介して通信できるものにおいて、
前記現場特有の信号を出力する出力装置と、前記出力装置が出力する出力信号を表示する表示装置を前記現場に設け、
前記表示装置に表示された出力信号を前記保守員が前記携帯端末機に入力し、前記携帯端末機に入力された入力信号と前記現場特有の信号とが一致することを前記通信装置が確認した場合のみ、前記設備機器と前記携帯端末機の間の通信を前記通信装置が可能とすることを特徴とする設備機器の保守システム。
【請求項２】
前記設備機器はエレベータであることを特徴とする請求項１に記載の設備機器の保守装置。
【請求項３】
前記設備機器は複数のエレベータであることを特徴とする請求項１に記載の設備機器の保守装置。
【請求項４】
前記現場特有の信号とは、乱数であることを特徴とする請求項１に記載の設備機器の保守装置。
【発明の詳細な説明】
【０００１】
【発明の属する技術分野】
本発明は、設備機器、特にエレベータのような機器の保守装置及び保守方法に関するものである。
【０００２】
【従来の技術】
一般に、多くのビルにはエレベータや空調設備などの設備機器が配備されており、これらの設備が故障するとビルの居住者やビルの利用者に迷惑がかかるため、これらの設備の適確な保全が必要である。
【０００３】
この保全は、設備についての専門知識を持つ保守員が行なうことになっており、各ビルでは通常契約を結んだ保守会社の保守員が定期的に各ビルを巡回して、設備の点検・修理・保守整備を行なうことになっている。
【０００４】
【発明が解決しようとする課題】
ところで、最近は無線で保守管理センターやエレベータの制御盤に通信できる端末機を保守員が常時携帯して、必要な情報や指示を瞬時に行なえるシステムが提案されているが、この端末機が加入者電話回線を通じてインターネットに接続できる一般的なものであれば、間違った操作によって思いもよらない場所の機器にアクセスしてしまう虞があり、保守員が立ち会っている意図した機器に間違いなくアクセスできるシステムが要望されていた。
即ち、目的とする設備機器が設置されている建物において作業している正規の保守員である、と言う確認が欠かせない。
【０００５】
本発明は、上記の点に鑑みなされたもので、正規の保守員が間違いなく目的とする設備機器にアクセスできる簡単な構造の保守装置及び保守方法を提供することを目的とする。
【０００６】
【課題を解決するための手段】
本発明は、現場に備えられた設備機器と、保守員の携帯端末機とが現場に設けた通信装置を介して通信できるものにおいて、現場特有の信号を出力する出力装置と、出力装置が出力する出力信号を表示する表示装置を現場に設け、表示装置に表示された出力信号を保守員が携帯端末機に入力し、携帯端末機に入力された入力信号と現場特有の信号とが一致することを通信装置が確認した場合のみ、設備機器と携帯端末機の間の通信を通信装置が可能とする保守システムである。
【０００７】
【発明の実施の形態】
本発明は、目的とする設備機器かどうかの確認を行なった上で、アクセスが可能なように信号処理するものである。
【０００８】
【実施例】
以下、本発明の一実施例について、図面を用いて説明する。
図１は本発明に係るエレベータの保守装置全体の一例を示す構成図である。図中、１１，１２，１３はビル１０内に設置されたエレベータの制御盤で、簡単のためエレベータの台数が３機の場合を示すが、実際にはもっと多数存在するのが一般的である。この中で、１１ａ，１２ａ，１３ａは送受信部、１１ｂ，１２ｂ，１３ｂは制御部、１１ｃ，１２ｃ，１３ｃは入力部、１１ｄ，１２ｄ，１３ｄは記憶部である。
【０００９】
２０はビル１０内の特定の場所、例えば各エレベータ制御盤１１，１２，１３を束ねた機械室や群管理制御盤などに設置され、この表示部２０ａに例えば所定の時間毎に乱数信号を出力表示する乱数信号発生装置である。
【００１０】
３０は保守員が常に携帯している携帯端末機で、送受信部３０ａ、制御部３０ｂ、入力部３０ｃ、記憶部３０ｄ、表示部３０ｅを備えている。そして、４０はビル１０内に設けられた通信制御装置で、エレベータ制御盤１１，１２，１３と乱数信号発生装置２０との間の通信、或いは携帯端末木０との間では基地局４１、相互接続点ＰＯＩ（携帯電話網と固定電話網を結ぶ）、交換機４２を通じて通信を制御するものであり、当然ながら各エレベータ制御盤１１，１２，１３との間のセキュリティは十分守られるように構成されている。５０はビル１０外に存在する保守管理センターである。
【００１１】
次に、この装置の動作について、図２を用いて説明する。図２は図１に示す装置の動作の一例を示すフローチャート図である。
【００１２】
先ず、現場に赴いた保守員はビル１０内の乱数信号発生装置２０の表示部２０ａに表示された乱数を確認する。次に、携帯端末機３０にこの数字を入力して発信釦（図示しない）を操作する。すると、この数字の一致する通信制御装置４０との通信のみが可能となり、この通信制御装置４０が管轄するエレベータ制御装置１１，１２，１３へのアクセスのみが可能となる。
【００１３】
この乱数信号発生装置２０による表示部２０ａの数字については、乱数のため各々の現場での表示が全く同じになる虞は極めて少なく、この数字を元に判別すれば、保守員が立ち会っている現場を簡単に特定でき、現場でのエレベータ群、即ち目的とする設備機器との通信のみを極めて正確に行なうことができるものである。
【００１４】
そして、この乱数表示が所定時間変化しないため、この所定時間の間は自由に携帯端末機３０から目的とするエレベータ制御盤に対してアクセスができるので、運転モードの変更、エレベータ仕様の変更や呼び登録などの指示を行なうことができる。保守員は必ずしも目的とするエレベータ制御盤の付近にいる必要はなく、基地局４１との間において無線の届く範囲にいれば制御盤への操作が可能である。ここで、所定時間が過ぎて乱数表示が変わった場合は、再度同じ動作を繰り返えすことになる。
【００１５】
以上の説明では、通信制御装置４０をビル１０内に配置した例について述べているが、ビル単位ではなく複数のビルを統括する地区を管轄する単位毎にこの通信制御装置を配備して、同様に乱数信号発生装置を配置すれば、その中の設備機器との通信のみ携帯端末機を通じて行なうことができる。
【００１６】
又、この現場特有の信号を乱数発生装置で作り出す例について述べているが、各現場では絶対に同じ数字にならないように、例えば保守管理センター５０から各現場に割当てられた番号を元にして割当表示させるようにすればさらに安全性を高めることもできる。又、設備機器としてエレベータを例に挙げているが、設備機器であればよくエレベータに限定されい。
【００１７】
【発明の効果】
以上述べたように本発明によれば、各現場特有の数字を元に目的とする各設備機器にのみアクセスを行なう構成になっているため、現場に入れる正規の保守員であるだけでなく、その保守員がその場に立ち会っている目的とする設備機器だけにしか指示や操作が及ばないため、非常に安全性やセキュリティの高い設備機器の保守装置及び保守方法を得ることができる。
【図面の簡単な説明】
【図１】本発明に係るエレベータの保守装置全体の一例を示す構成図である。
【図２】図１における装置の動作の一例を示すフローチャート図である。
【符号の説明】
１０  ビル
１１，１２，１３  エレベータの制御盤
２０  乱数信号発生装置
２０ａ  乱数信号発生装置２０の表示部
３０  携帯端末機
４０  通信制御装置
５０  保守管理センター
【図１】
0004465925.tif 000002
【図２】
0004465925.tif 000003